(57)【要約】【課題】  外力により扉の閉方向に働くデッドボルトの側圧を解消できる錠装置を提供し、側圧によるデッドボルトの動作不良の発生を防止する。【解決手段】  錠装置１００において、扉１５の木口１５ａから進退自在に設けられた係止杆３５と、この係止杆３５を木口１５ａより扉１５の内方へ引き込む付勢バネ３７と、閉扉の木口１５ａに対面して扉枠１３に設けられ木口１５ａから突出する係止杆３５が進入するストライク２１と、係止杆３５に付設された可動マグネット３９と、扉枠１３に設けられ閉扉時に可動マグネット３９に対面して磁気吸引力によって係止杆３５を木口１５ａから引き出しストライク２１に進入させる固定マグネット４１とを設けた。【選択図】      図１
2007009549.tif 000002
【特許請求の範囲】
【請求項１】
扉の木口から進退自在に設けられた係止杆と、
該係止杆を木口より扉の内方へ引き込む付勢手段と、
閉扉の前記木口に対面して扉枠に設けられ該木口から突出する前記係止杆が進入するストライクと、
前記係止杆に付設された被吸引部材と、
前記扉枠に設けられ閉扉時に前記被吸引部材に対面する吸引部材と
を具備し、
前記被吸引部材と前記吸引部材とは、磁石と磁石、又は、磁石と磁性体の組合せで構成され、閉扉時に前記被吸引部材と吸引部材とが対面した際に、互いの磁気吸引力によって、前記係止杆を前記木口から引き出し前記ストライクに進入させることを特徴とする錠装置。
【請求項２】
前記係止杆は、扉開方向側の側面が先細の傾斜面となり、扉閉方向側の側面が前記ストライクのストライク孔縁に当接する衝止面とされるラッチボルトであることを特徴とする請求項１記載の錠装置。
【請求項３】
請求項２記載のラッチボルトと、
扉閉方向側の側面が先細の傾斜面となり、扉開方向側の側面が前記ストライクのストライク孔縁に当接する衝止面とされ、かつ前記扉に設けられる操作手段による操作によって前記木口から進退可能となった通常ラッチボルトと、
の双方を有することを特徴とする錠装置。
【請求項４】
前記扉にデッドボルトが設けられたことを特徴とする請求項１又は２又は３記載の錠装置。
【発明の詳細な説明】
【技術分野】
【０００１】
本発明は、扉の木口から進退自在に設けられ閉扉状態で木口から突出して扉枠側のストライクに進入する係止杆を備えた錠装置に関する。
【背景技術】
【０００２】
錠装置には所謂「空錠」と称されるものがある。空錠は、施解錠装置、すなわち合鍵等を必要とする機構を備えないもので、ノブやレバーなど把手を回すと容易に開放でき、閉まるとラッチ（ラッチボルト）で閉鎖状態が保持される。したがって、空錠は、戸締り（施錠）の不要な室内扉や間仕切り建具用として好適に用いられる。
【０００３】
空錠に設けられるラッチボルトは、扉木口に進退自在となっており、通常、付勢バネで突出状態に付勢されている。ラッチボルトは、先端に、先細となる斜めに形成された傾斜面（以下、「ガイド面」とも称す。）と、進退方向と平行な垂直側面（以下、「衝止面」とも称す。）とを備え、扉閉動時には建物側のストライク板外縁部分にガイド面が当たることでその反力によって引っ込み、ストライク孔に入る。もちろん、回転操作手段であるドアノブの回転操作（通常どちらの回転でも可）によって、ラッチボルトを引っ込めて、ドアを閉鎖することも可能である。一方、ストライク孔では、孔縁に衝止面が当たることで、ドアが開かなくなる。そして、ラッチボルトは、ドアノブの回転操作によって、付勢バネの付勢力に抗して後退し、木口から突出しない状態となり、ストライクとの係止を解除して、ドアの開放を可能にする。ノブから手を離せば、ラッチボルトが付勢バネによって再び突出する。
【発明の開示】
【発明が解決しようとする課題】
【０００４】
ところで、ラッチボルトの衝止面は、扉の開く方向に向いてストライクに当たるようになっている。つまり、開く方向ではラッチボルトが没入せず、扉の閉鎖状態が保たれる。逆に、ラッチボルトは、扉の閉まる方向へは、ガイド面が向くので何の規制もないこととなる。この場合（閉扉時）において、デッドボルトが突出して施錠状態となっていると、扉の開放方向には、デッドボルトの側面と、ラッチボルトの衝止面とがストライク孔に当たることで、特に問題はないが、扉の閉まる方向へは、ラッチボルトの先端がガイド面であることから、ストライク孔にはデッドボルトの側面のみが当接することとなる。したがって、デッドボルトには、ストライク孔との接触による反力である側圧が発生する。
【０００５】
扉は、閉状態において、さらに閉方向の外力が働くことがある。閉方向の外力は、例えば、室内外での気圧差や、風圧などで、扉が、扉枠側の戸当たりに当接している状態に、さらに圧力がかかってしまう状態で作用する。この閉方向の外力は、各部のチリ、クリアランス、許容寸法誤差、或いは戸当たりに（扉との接触、衝突、防音、気密性の対策のため）設けられているパッキンなどの影響によって増大する。閉方向の外力が増大すると、デッドボルトに作用する側圧も増大し、この側圧が一定以上になると、デッドボルトの後退動作に支障が生じ、作動不良を招く虞がある。例えば、電気錠の場合には、デッドボルトの後退をアクチュエータなどで行うが、ストライク孔との側圧が大きいと、アクチュエータに過剰な駆動負荷が作用し、故障の原因となる。また、デッドボルトが後退不能となれば、解錠がなされず、緊急時の場合には、最悪の事態を招きかねない。なお、ラッチボルトとデッドボルトとは、デッドボルトのほうが幅狭（厚み小）に形成される一方、ラッチボルトが幅広（厚さ大）に形成され、扉が開放する方向での側圧は、ラッチボルトが受けている。
【０００６】
本発明は上記状況に鑑みてなされたもので、外力により扉の閉方向に働くデッドボルトの側圧を解消できる錠装置を提供し、もって、側圧によるデッドボルトの動作不良の発生防止を図ることを目的とする。
【課題を解決するための手段】
【０００７】
次に、上記の課題を解決するための手段を、実施の形態に対応する図面を参照して説明する。
本発明の請求項１記載の錠装置１００は、扉１５の木口１５ａから進退自在に設けられた係止杆３５と、
該係止杆３５を木口１５ａより扉１５の内方へ引き込む付勢手段３７と、
閉扉の前記木口１５ａに対面して扉枠１３に設けられ該木口１５ａから突出する前記係止杆３５が進入するストライク２１と、
前記係止杆３５に付設された被吸引部材３９と、
前記扉枠１３に設けられ閉扉時に前記被吸引部材３９に対面する吸引部材４１と、
を具備し、
前記被吸引部材３９と前記吸引部材４１とは、磁石と磁石、又は、磁石と磁性体の組合せで構成され、閉扉時に前記被吸引部材３９と吸引部材４１とが対面した際に、互いの磁気吸引力によって、前記係止杆３５を前記木口１５ａから引き出し前記ストライク２１に進入させることを特徴とする。
【０００８】
この錠装置１００では、閉扉で係止杆３５が吸引部材４１によって突出され、衝止面５７がストライク２１のストライク孔２３に当接して閉動が停止される。したがって、閉扉状態の扉１５に外力が働いた場合であっても、その外力が突出した係止杆３５の衝止面５７によって担持される。
【０００９】
請求項２記載の錠装置１００は、前記係止杆３５は、扉開方向側の側面が先細の傾斜面４３となり、扉閉方向側の側面が前記ストライク２１のストライク孔縁２３ａに当接する衝止面５７とされるラッチボルト３５であることを特徴とする。
【００１０】
この錠装置１００では、閉扉でラッチボルト３５が吸引部材４１によって突出され、衝止面５７がストライク孔２３の孔縁２３ａに当接して閉動が停止される。一方、開扉時には、傾斜面４３がストライク孔２３に当接し、ストライク２１の孔縁２３ｂから受ける反力によってラッチボルト３５が後退され、扉１５の開放が可能となる。
【００１１】
請求項３記載の錠装置１００は、請求項２記載のラッチボルト３５と、
扉閉方向側の側面が先細の傾斜面５５となり、扉開方向側の側面が前記ストライク２１のストライク孔縁２３ｂに当接する衝止面５９とされ、かつ前記扉１５に設けられる操作手段７１による操作によって前記木口１５ａから進退可能となった通常ラッチボルト４５と、
の双方を有することを特徴とする。
【００１２】
この錠装置１００では、扉１５の閉動方向と開動方向に、それぞれのラッチボルト３５，４５の衝止面５７，５９が向けられることになり、閉扉時には、これら一対の衝止面５７，５９がストライク孔２３の孔縁２３ａ，２３ｂにそれぞれ当接状態となる。
【００１３】
請求項４記載の錠装置１００は、前記扉１５にデッドボルト４７が設けられたことを特徴とする。
【００１４】
この錠装置１００では、閉扉で吸引部材４１によって突出した係止杆（ラッチボルト）３５の衝止面５７がストライク孔２３の孔縁２３ａに当接して閉動が停止され、扉１５の閉方向に外力が働いた場合であっても、その外力が突出した係止杆（ラッチボルト）３５の衝止面５７によって担持される。これにより、デッドボルト４７に側圧が作用しなくなる。
【発明の効果】
【００１５】
本発明に係る請求項１記載の錠装置によれば、扉の木口から進退自在に係止杆を設け、この係止杆に被吸引部材を付設するとともに、扉枠には、被吸引部材に対面して係止杆を木口から引き出す吸引部材を設けたので、閉扉で係止杆が吸引部材によって突出し、衝止面がストライク孔に当接して閉動が停止される。これら被吸引部材と吸引部材とは、磁石と磁石、又は磁石と磁性体の組合せで構成され、磁気吸引力によって互いが引き合う作用が働くことで、前記閉扉時に互いが対面することで係止杆が突出することとなる。したがって、扉の閉方向に外力が働いた場合であっても、その外力を突出した係止杆の衝止面によって担持でき、他の錠部材（例えばデッドボルト）に側圧が作用することを防止できる。
【００１６】
請求項２記載の錠装置によれば、係止杆が、扉開方向側の側面を先細の傾斜面で形成したラッチボルトであるので、閉扉でこのラッチボルトが吸引部材によって突出し、衝止面がストライク孔の孔縁に当接して閉動が停止される。そして、開扉時には、傾斜面がストライク孔縁に当接し、ストライク孔縁から受ける反力によってラッチボルトが後退し、扉の開放が可能となる。つまり、一方向からの押圧による開放が可能な扉を構成できる。
【００１７】
請求項３記載の錠装置によれば、請求項２記載のラッチボルトと、扉閉方向側の側面が先細の傾斜面となり、扉開方向側の側面がストライクのストライク孔縁に当接する衝止面とされ、かつ操作手段によって木口から進退可能となった通常ラッチボルトとの双方を有するので、扉の閉動方向と開動方向に衝止面が向けられることになり、閉扉時には、これら一対の衝止面がストライク孔の孔縁に当接状態となり、いずれの方向へも扉がぶれない（がたつかない）こととなる。
【００１８】
請求項４記載の錠装置によれば、扉にデッドボルトが設けられたので、閉扉で吸引手段によって突出した係止杆（ラッチボルト）の衝止面がストライク孔縁に当接して閉動が停止され、扉の閉方向に外力が働いた場合であっても、その外力を突出した係止杆（ラッチボルト）の衝止面によって担持でき、デッドボルトに側圧が作用することを防止できる。この結果、側圧によるデッドボルトの動作不良の発生を防止することができる。
【発明を実施するための最良の形態】
【００１９】
以下、本発明に係る錠装置の好適な実施の形態を図面を参照して詳細に説明する。
図１は本発明に係る錠装置の横断面図、図２は図１に示した錠装置の縦断面図、図３は図１の錠装置に、従来の施解錠装置を併設した扉の要部縦断面図、図４は図１に示した錠装置の開扉時の状態を表す縦断面図である。
本発明に係る錠装置１００は、例えば建物躯体１１の開口部に設けられた扉枠１３に、図示しないヒンジを介して開閉自在に設けられた扉１５に好適に用いることができる。扉枠１３は、扉１５の閉動方向に扉当たり１７が形成されている。この扉当たり１７の扉当接面にはパッキン１９が貼着されている。
【００２０】
扉１５の木口１５ａに対面する扉枠１３の面にはストライク２１が設けられ、ストライク２１はストライク孔２３の奥に、ボルト進入空間２５を形成するためのトロヨケ２７が設けられている。一方、扉１５にはケース２９が内蔵され、ケース２９は一辺部に設けられたフロント板３１が木口１５ａに固定される。フロント板３１にはストライク孔２３に一致したラッチ孔３３が穿設される。ケース２９内には係止杆であるラッチボルト３５がラッチ孔３３から突出可能に設けられている。ラッチボルト３５とケース２９との間には付勢手段である付勢バネ３７が配設され、付勢バネ３７はラッチボルト３５を木口１５ａより扉内方へ引き込む。つまり、ラッチボルト３５は、付勢バネ３７によって、通常時、木口１５ａから突出しないようにケース２９内に収容されている。
【００２１】
ラッチボルト３５のケース２９内の部位には、図２に示す被吸引部材としての可動マグネット３９が付設されている。一方、扉枠１３に設けられたトロヨケ２７の内部には、ラッチボルト３５に設けられた可動マグネット３９に対面する吸引部材としての固定マグネット４１が固設されている。これら可動マグネット３９と固定マグネット４１とは、対面側が異極（Ｓ極とＮ極）となり、相互に磁気吸引力が発生する向きで設定配置されている。なお、これらマグネット３９，４１にて構成される被吸引部材３９と吸引部材４１とは、磁石と磁性体の組合せとしても良い。
【００２２】
ラッチボルト３５は、閉扉時、木口１５ａがストライク２１と対面することにより、固定マグネット４１に可動マグネット３９が対面し、磁気吸引力によって付勢バネ３７の付勢力に抗してラッチ孔３３から引き出される。すなわち、付勢バネ３７の引っ張り力より磁気吸引力が大となるよう設定されている。ラッチボルト３５は、木口１５ａから突出することで、ストライク２１のストライク孔２３に進入する。
【００２３】
図１に示すように、ラッチボルト３５は、扉開方向側の側面が先細の傾斜面であるガイド面４３とされ、扉閉方向側の側面が垂直な衝止面５７となっている。図４に示すように、ラッチボルト３５は、扉１５が開放状態のとき、固定マグネット４１からの磁気吸引力が消失することにより、付勢バネ３７の引っ張り力が勝り、これによってケース２９内に後退して収容されるようになっている。
【００２４】
本実施の形態による錠装置１００は、図３に示すように、従来のラッチボルト（通常ラッチボルト）４５及びデッドボルト４７を備えた施解錠装置４９と併設することができる。施解錠装置４９のラッチボルト４５は、図示しない操作手段である例えばレバーハンドルやノブなどの回転操作手段やスライドレバーなどの直動操作手段によって後退される。また、デッドボルト４７は、図示しないサムターンや屋外側シリンダー錠の操作によって進退可能とされる。さらに、この施解錠装置４９に対面する扉枠１３には、デッドボルト４７、ラッチボルト４５が進入するストライク５１、トロヨケ５３が別途に設けられている。
【００２５】
なお、施解錠装置４９に設けられる従来のラッチボルト４５は、図１に示すラッチボルト３５と逆方向の傾斜面であるガイド面５５を先端に有している。つまり、ラッチボルト４５は、通常の傾斜面を有している。
【００２６】
次に、上記のように構成された錠装置１００の作用を説明する。
図５は図１に示した錠装置の設けられた扉が閉動される際の動作説明図、図６は図３に示した錠装置及び施解錠装置の設けられた閉扉時の横断面図、図７は図６に示した扉の開動開始時の動作説明図、図８は図６に示した扉の開動過程の動作説明図である。
図５（ａ）及び図４に示すように、扉１５は、開状態において、ラッチボルト３５が付勢バネ３７の引っ張り力によりケース２９内に収容状態となっている。一方、従来のラッチボルト４５は、ガイド面５５を閉動方向に向けて突出状態となる。従って、図５（ｂ）に示すように、閉動されると、ラッチボルト４５のガイド面５５がストライク５１の外縁部に当接し、ガイド面５５がその反力を受けることによって、ラッチボルト４５が施解錠装置４９内へ後退されることとなる。
【００２７】
その後、図５（ｃ）に示すように、扉１５がパッキン１９に当接し、閉止状態となると、デッドボルト４７は、図示しない付勢バネの押圧力によって突出され、トロヨケ５３内へと進入する。これに加え、ラッチボルト３５は、固定マグネット４１に可動マグネット３９が対面することで、磁気吸引力によってケース２９内から引き出され、トロヨケ２７内へと進入することとなる。扉１５は、ラッチボルト３５の衝止面５７がストライク孔２３の孔縁２３ａに当接して閉動が停止される。
【００２８】
図６に示すように、この扉閉状態では、ラッチボルト３５の衝止面５７と、ラッチボルト４５の衝止面５９とが同時にストライク孔２３の孔縁２３ａ、ストライク孔６１の孔縁２３ｂに当接することとなり、扉１５は、開閉方向のぶれ（がたつき）が規制される。また、デッドボルト４７は、これら一対のラッチボルト３５、ラッチボルト４５の衝止面５７及び衝止面５９同士の間の距離Ｌより小さい厚みＤで形成され、それぞれの衝止面５７及び衝止面５９の内側となるように配置されることで、側面６３，６５がストライク孔６９（図３参照）と非接触状態となる。
【００２９】
つまり、これにより、デッドボルト４７は、側圧を受けることがなくなる。従って、例えば電気錠のように、デッドボルト４７がアクチュエータにより進退される機構であっても、デッドボルト４７の側面６３、６５がストライク孔６９に摺接しないため、極めてスムースな進退が可能となる。これにより、過剰な負荷がアクチュエータに作用することによる故障、或いは解錠不能が発生しなくなる。
【００３０】
一方、扉１５の開動時には、施解錠装置４９に設けられる操作手段であるノブ７１が開扉方向に回転操作される。なお、この際、デッドボルト４７は、図示しないアクチュエータ、サムターン或いはシリンダー錠が解錠動作することで後退される。ノブ７１が開扉方向へ回転されると、図７に示すように、ラッチボルト４５が後退することとなる。一方、ラッチボルト３５は、閉扉状態において、未だ固定マグネット４１，可動マグネット３９同士の磁気吸引力によりトロヨケ２７内へ突出状態のままとなる。
【００３１】
図８に示すように、扉１５が開動されると、ラッチボルト３５のガイド面４３がストライク孔２３の孔縁に当接し、ラッチボルト３５は、ストライク孔２３からの反力を受けることにより、ケース２９内へと後退する。さらに、扉１５が開動されることにより、固定マグネット４１と可動マグネット３９との磁気吸引力が消失し、ラッチボルト３５は、付勢バネ３７の引っ張り力によりケース２９内へと収容状態となる。なお、図示は省略するが、ノブ７１から手が離されると、ラッチボルト４５は、再び不図示の付勢バネの押圧力によって木口１５ａから突出状態となる。これに対し、ラッチボルト３５は、ケース２９内に収容されたままの状態に保持されることとなる。
【００３２】
したがって、錠装置１００によれば、扉１５の木口１５ａから進退自在にラッチボルト３５を設け、このラッチボルト３５に可動マグネット３９を付設するとともに、扉枠１３には、可動マグネット３９に対面してラッチボルト３５を木口１５ａから引き出す固定マグネット４１を設けたので、閉扉でラッチボルト３５が固定マグネット４１によって突出し、衝止面５７がストライク孔２３に当接して閉動が停止される。したがって、扉１５の閉方向に外力が働いた場合であっても、その外力を突出したラッチボルト３５の衝止面５７によって担持でき、他の錠部材、例えばデッドボルト４７に側圧が作用することを防止できる。
【００３３】
図９は同一ケース内に異なるガイド面を有する一対のラッチボルトを備えた変形例の縦断面図、図１０は図９に示した変形例の横断面図である。
なお、上記の実施の形態では、施解錠装置４９に、ラッチボルト３５を備えた錠装置１００を増設する構成、すなわち施解錠装置４９が既設の扉に対して後付け加工などで増設させる例としたが、図９に示すように、本発明に係る錠装置１００Ａは、ケース２９Ａ内に、ラッチボルト３５と、ラッチボルト４５とを設ける構成としてもよい。また、図示は省略するが、この構成においてはさらにサムターン、シリンダー錠によって進退可能となるデッドボルトが設けられても良い。このようなラッチボルト３５及びラッチボルト４５を備えた錠装置１００Ａによれば、デッドボルト４７が側圧に影響されない信頼性を備えた錠機構を単体装置で実現することができる。
【００３４】
さらに、デッドボルトを備えない、所謂空錠として構成するものとしてもよく、すなわち、上記と同様のラッチボルト３５などの係止杆のみを備えた扉とすれば、閉扉時にはその係止杆が可動マグネット３９と固定マグネット４１との磁気吸引力にて突出して閉扉状態を保ち、開扉と同時に係止杆が後退し、その扉１５の木口には係止杆の突出しない構成を得ることができる。
【００３５】
また、上記のような構造とすることで、ノブやレバーなどの把手である操作手段を省略した扉を得ることが可能となり、すなわち、閉扉時には、磁気吸引力が働くことで、係止杆３５は突出状態となってストライク２１に進入状態となり、また、開扉操作として扉１５を扉枠１３から動かすことで、磁気吸引力が消失されて、付勢バネ３７の引っ張り力で係止杆３５が後退する構成となり、外表面に突出する構造の無い空錠を備えた開閉可能な間仕切り壁体状の構造物を得ることが可能となる。
【図面の簡単な説明】
【００３６】
【図１】本発明に係る錠装置の横断面図である。
【図２】図１に示した錠装置の縦断面図である。
【図３】図１の錠装置に、従来の施解錠装置を併設した扉の要部縦断面図である。
【図４】図１に示した錠装置の開扉時の状態を表す縦断面図である。
【図５】図１に示した錠装置の設けられた扉が閉動される際の動作説明図である。
【図６】図３に示した錠装置及び施解錠装置の設けられた閉扉時の横断面図である。
【図７】図６に示した扉の開動開始時の動作説明図である。
【図８】図６に示した扉の開動過程の動作説明図である。
【図９】同一ケース内に異なるガイド面を有する一対のラッチボルトを備えた変形例の縦断面図である。
【図１０】図９に示した変形例の横断面図である。
【符号の説明】
【００３７】
１３…扉枠
１５…扉
１５ａ…木口
２１…ストライク
２３ａ…孔縁
３５…係止杆（ラッチボルト）
３７…付勢手段（付勢バネ）
３９…被吸引部材（可動マグネット）
４１…吸引部材（固定マグネット）
４３…傾斜面（ガイド面）
４５…通常ラッチボルト
４７…デッドボルト
５７…衝止面
７１…操作手段（ノブ）
１００…錠装置
【図１】
2007009549.tif 000003
【図２】
2007009549.tif 000004
【図３】
2007009549.tif 000005
【図４】
2007009549.tif 000006
【図５】
2007009549.tif 000007
【図６】
2007009549.tif 000008
【図７】
2007009549.tif 000009
【図８】
2007009549.tif 000010
【図９】
2007009549.tif 000011
【図１０】
2007009549.tif 000012